(57)【要約】【課題】  各種冷凍装置に対して、マイコン等の制御部を共通して使用でき、かつ、リレーの数量を必要な数量にできる制御装置を提供することにある。【解決手段】  制御部１１を搭載した制御基板１２と、上記制御部１１により制御される複数のリレー１３を搭載したリレー基板１４とを備えている。このように、上記制御基板１２と上記リレー基板１４とを分離しているので、上記リレー１３の数量に関係なく、上記制御部１１を各種冷凍装置に共通して使用でき、上記制御部１１に汎用性をもたせることができる。【選択図】  図１
2006349263.tif 000002
【特許請求の範囲】
【請求項１】
制御部（１１）を搭載した制御基板（１２）と、
上記制御部（１１）により制御される複数のリレー（１３）を搭載したリレー基板（１４）と
を備え、
上記リレー基板（１４）は、隣り合う上記リレー（１３，１３）の間に、各リレー（１３）毎に分割可能な割れ目（１４ａ）を設けていることを特徴とする制御装置。
【請求項２】
請求項１に記載の制御装置において、
上記リレー基板（１４）は、上記割れ目（１４ａ）に区切られた領域のそれぞれに、入力側電源コネクタ（１６）および出力側電源コネクタ（１７）、または、入力と出力を併せ持つ電源コネクタを設けていることを特徴とする制御装置。
【請求項３】
圧縮機（１）、凝縮器（２）、膨張部（３）および蒸発器（４）を順に接続してなる冷凍回路（５）と、
この冷凍回路（５）のための電気機器と、
請求項１に記載の制御装置（１０）と
を備え、
この制御装置（１０）の上記リレー（１３）は、上記電気機器のオンオフを制御することを特徴とする冷凍装置。
【発明の詳細な説明】
【技術分野】
【０００１】
この発明は、例えば、電磁弁等の電気機器を制御する制御装置、および、この制御装置を備えた冷凍装置に関する。
【背景技術】
【０００２】
従来、冷凍装置の制御装置としては、マイコン等の制御部と、この制御部により制御されると共に冷却ファンのオンオフを切り替えるリレーとを、同一の基板に搭載しているものがある（特開２００２−３７２３４７号公報：特許文献１参照）。
【特許文献１】特開２００２−３７２３４７号公報
【発明の開示】
【発明が解決しようとする課題】
【０００３】
しかしながら、上記従来の制御装置では、上記制御部と上記リレーとを同一の基板に搭載していたので、上記リレーの数量を変えることができず、各種冷凍装置でリレーの数量が相違する場合、この制御装置を他の冷凍装置に使用することができなかった。特に、上記制御部を共通して使用できないので、無駄であった。
【０００４】
また、各種冷凍装置の仕様により、リレーの数量を限定するか、リレーの数量を適用する全ての冷凍装置の最大値にする必要があり、品種を増やすか、外形を大きくして最大数のリレーを基板上に実装するしかなかった。
【０００５】
そこで、この発明の課題は、各種冷凍装置に対して、マイコン等の制御部を共通して使用でき、かつ、リレーの数量を必要な数量にできる制御装置を提供することにある。
【課題を解決するための手段】
【０００６】
上記課題を解決するため、この発明の制御装置は、
制御部を搭載した制御基板と、
上記制御部により制御される複数のリレーを搭載したリレー基板と
を備え、
上記リレー基板は、隣り合う上記リレーの間に、各リレー毎に分割可能な割れ目を設けていることを特徴としている。
【０００７】
この発明の制御装置によれば、上記制御基板と上記リレー基板とを分離しているので、上記リレーの数量に関係なく、上記制御部を冷凍装置等の各種装置に共通して使用でき、上記制御部に汎用性をもたせることができる。つまり、各種装置でリレーの数量が相違する場合、必要な数量のリレーを搭載したリレー基板を使用すればよく、上記制御部は、共通して使用できる。
【０００８】
また、上記リレー基板は、割れ目を設けているので、このリレー基板を割れ目で分割することで、リレーの数量を、各種装置が必要とするリレーの数量に、簡単に合わせることができる。また、上記複数のリレーは、一枚の上記リレー基板に搭載されているので、上記複数のリレーを、制御装置のケーシングに、一度で簡単に取り付けることができる。
【０００９】
また、一実施形態の制御装置では、上記リレー基板は、上記割れ目に区切られた領域のそれぞれに、入力側電源コネクタおよび出力側電源コネクタ、または、入力と出力を併せ持つ電源コネクタを設けている。
【００１０】
この実施形態の制御装置によれば、上記リレー基板は、各リレーに対応して、上記入力側電源コネクタおよび上記出力側電源コネクタ、または、入力と出力を併せ持つ電源コネクタを設けているので、各リレーを互いに渡り配線にて接続でき、電源から各リレーに配線を接続する必要がない。
【００１１】
また、この発明の冷凍装置は、
圧縮機、凝縮器、膨張部および蒸発器を順に接続してなる冷凍回路と、
この冷凍回路のための電気機器と、
上記制御装置と
を備え、
この制御装置の上記リレーは、上記電気機器のオンオフを制御することを特徴としている。
【００１２】
この発明の冷凍装置によれば、上記制御装置を備えるので、上記制御装置を各種冷凍装置に共通に使用できて、コストの低減を図ることができる。
【発明の効果】
【００１３】
この発明の制御装置によれば、上記制御基板と上記リレー基板とを分離しているので、各種装置に対して、マイコン等の制御部を共通して使用でき、かつ、リレーの数量を必要な数量にできる。
【００１４】
また、この発明の冷凍装置によれば、上記制御装置を備えるので、上記制御装置を各種冷凍装置に共通に使用できて、コストの低減を図ることができる。
【発明を実施するための最良の形態】
【００１５】
以下、この発明を図示の実施の形態により詳細に説明する。
【００１６】
図１は、この発明の制御装置の一実施形態である簡略構成図を示している。この制御装置１０は、冷凍装置に用いられている。
【００１７】
この冷凍装置は、圧縮機１、凝縮器２、膨張部３および蒸発器４を順に接続してなる冷凍回路５と、この冷凍回路５のための電気機器と、この電気機器のオンオフを制御する上記制御装置１０とを備えている。
【００１８】
上記圧縮機１は、ガス冷媒を圧縮する。上記凝縮器２は、上記圧縮機１から吐出されたガス冷媒を冷却して凝縮液化する。上記膨張部３は、電子膨張弁やキャピラリーチューブであり、上記凝縮器２からの液冷媒を減圧する。上記蒸発器４は、上記膨張部３により減圧された液冷媒を蒸発させる。
【００１９】
上記冷凍回路５には、四方弁６が設けられ、この四方弁６を切り替えることで、上記蒸発器４が、凝縮器とされ、上記凝縮器２が、蒸発器とされる。なお、上記凝縮器２に、ファン７が設けられ、上記蒸発器４に、ファン８が設けられている。
【００２０】
上記電気機器は、例えば、上記圧縮機１、上記膨張部３の一例としての電子膨張弁、上記四方弁６または上記ファン７，８である。
【００２１】
上記制御装置１０は、電源部１５と、制御部１１を搭載した制御基板１２と、複数の（この実施形態では３つの）リレー１３を搭載したリレー基板１４とを備えている。
【００２２】
上記制御部１１は、例えば、マイコンやシーケンサであり、上記冷凍装置の動作を制御している。
【００２３】
上記リレー１３は、上記制御部１１により制御されると共に、上記電気機器のオンオフを切り替える。
【００２４】
このリレー１３は、例えば、メカニカルリレーや半導体式リレーであり、半導体式リレーとしては、例えば、ＳＳＲ（Solid State Relays：ソリッドステートリレー）である。  この３つのリレー１３は、それぞれ、相違する電気機器のオンオフを切り替えており、各リレー１３を、各リレー１３に対応する電気機器の容量に適したものにするのが好ましい。
【００２５】
上記リレー基板１４は、隣り合う上記リレー１３，１３の間に、各リレー１３毎に分割可能な割れ目１４ａを設けている。この割れ目１４ａは、例えば、ミシン目である。
【００２６】
上記３つのリレー１３は、一列に並んでおり、上記割れ目１４ａは、２カ所設けられ、上記リレー基板１４は、上記割れ目１４ａによって３つの領域に区切られている。
【００２７】
上記リレー基板１４は、上記３つの領域のそれぞれに、入力側電源コネクタ１６および出力側電源コネクタ１７を設けている。
【００２８】
上記電源部１５と、左側の領域の入力側電源コネクタ１６は、配線１８にて、接続され、左側の領域の出力側電源コネクタ１７と、中央の領域の入力側電源コネクタ１６は、他の配線１８にて、接続され、中央の領域の出力側電源コネクタ１７と、右側の領域の入力側電源コネクタ１６は、別の配線１８にて、接続されている。つまり、上記３つのリレー１３は、上記電源部１５から直列に電源を供給されている。
【００２９】
このように、上記リレー基板１４は、各リレー１３に対応して、上記入力側電源コネクタ１６および上記出力側電源コネクタ１７を設けているので、各リレー１３を互いに渡り配線にて接続でき、上記電源部１５から各リレー１３に配線を接続する必要がない。なお、上記入力側電源コネクタ１６および上記出力側電源コネクタ１７の代わりに、入力と出力を併せ持つ電源コネクタを設けてもよい。
【００３０】
上記３つのリレー１３は、それぞれ、上記制御部１１と信号線にて接続され、この３つのリレー１３は、上記制御部１１から個別に制御信号を受けている。
【００３１】
上記リレー基板１４は、上記３つの領域のそれぞれの四隅に、取付孔１４ｂを設けている。この取付孔１４ｂには、ビス等の固定具が挿通され、上記リレー基板１４は、この固定具によって、上記制御装置１０のケーシングに固定される。この場合、上記リレー基板１４の四隅の取付孔１４ｂに、上記固定具を挿通すればよく、上記リレー基板１４を上記制御装置１０のケーシングに容易に取り付けることができる。
【００３２】
なお、上記リレー基板１４には、図示しない（駆動部分やノイズ吸収回路などの）周辺回路が搭載されている。
【００３３】
上記リレー基板１４の作成方法を説明する。
【００３４】
図２に示すように、一枚の長方形の元の基板２０に、この基板２０の長手方向に沿って、５つのリレー１３を一列に実装する。この隣り合うリレー１３，１３の間に、割れ目１４ａを設けて、この基板２０を、上記割れ目１４ａによって５つの領域に区切る。さらに、各領域に、上記取付孔１４ｂを設ける。そして、上記基板２０を、上記リレー１３が３枚一組となるように、２つに分割して、上記リレー基板１４を作成する。
【００３５】
上記構成の制御装置１０によれば、上記制御基板１２と上記リレー基板１４とを分離しているので、上記リレー１３の数量に関係なく、上記制御部１１を各種冷凍装置に共通して使用でき、上記制御部１１に汎用性をもたせることができる。つまり、各種冷凍装置でリレー１３の数量が相違する場合、必要な数量のリレー１３を搭載したリレー基板１４を使用すればよく、上記制御部１１は、共通して使用できる。
【００３６】
また、上記リレー基板１４は、割れ目１４ａを設けているので、このリレー基板１４を割れ目１４ａで分割することで、リレー１３の数量を、各種冷凍装置が必要とするリレー１３の数量に、簡単に合わせることができる。つまり、各種冷凍装置に合わせた必要な数量のリレー１３を、簡単に用意することができる。また、上記複数のリレー１３は、一枚の上記リレー基板１４に搭載されているので、上記複数のリレー１３を、上記制御装置１０のケーシングに、一度で簡単に取り付けることができる。
【００３７】
また、搭載されたリレー１３の容量が相違するリレー基板１４を、複数種類、予め作成しておけば、各種冷凍装置に合ったリレー基板１４を選択できて、各種冷凍装置に合った制御装置を簡単に作成できる。
【００３８】
上記構成の冷凍装置によれば、上記制御装置１０を備えるので、上記制御装置１０を各種冷凍装置に共通に使用できて、コストの低減を図ることができる。
【００３９】
なお、この発明は上述の実施形態に限定されない。例えば、上記制御装置１０を、作動液冷却装置（オイルコン）に用いてもよく、この作動液冷却装置は、上記冷凍装置の冷凍回路５を利用して工作機械等の機器で使用される作動液を冷却する。
【００４０】
この作動液冷却装置は、例えば、上記冷凍回路５および作動液循環回路を備えている。この作動液循環回路は、モータで駆動される循環ポンプにより機器の作動液が循環する。そして、上記冷凍回路５の上記蒸発器４は、冷媒との熱交換により上記作動液循環回路中の作動液を冷却する。
【００４１】
また、上記制御装置１０は、他の電気機器のオンオフを制御するようにしてもよい。なお、上記電気機器として、特に好ましいのは、オイルコンや冷凍装置に用いられる冷媒系の負荷電流の小さい電磁弁である。
【００４２】
また、上記複数のリレー１３は、マトリックス状に並んでいてもよく、上記リレー基板１４に上記割れ目１４ａを格子状に設け、上記リレー基板１４を各リレー１３毎に分割可能となるようにすればよい。
【図面の簡単な説明】
【００４３】
【図１】この発明の制御装置の一実施形態を示す簡略構成図である。
【図２】リレー基板の平面図である。
【符号の説明】
【００４４】
１    圧縮機
２    凝縮器
３    膨張部
４    蒸発器
５    冷凍回路
６    四方弁
７    ファン
８    ファン
１０    制御装置
１１    制御部
１２    制御基板
１３    リレー
１４    リレー基板
１５    電源部
１４ａ    割れ目
１４ｂ    取付孔
１６    入力側電源コネクタ
１７    出力側電源コネクタ
１８    配線
２０    元の基板
【図１】
2006349263.tif 000003
【図２】
2006349263.tif 000004